(57)【要約】【課題】駆動ラインに寄生する容量による疑似点灯を抑制可能な表示装置及びその製造方法を提供する。【解決手段】第１共通ラインに電圧が供給され、第１発光素子および第２発光素子が接続された駆動ラインが非選択状態において第１発光素子に電流が流れる時の第１順方向電圧と、第２共通ラインに電圧が供給され、第１発光素子および第２発光素子が接続された駆動ラインが非選択状態において第２発光素子に電流が流れる時の第２順方向電圧とは略同じである。【選択図】図１
2020177121.tif 000002
【特許請求の範囲】
【請求項１】
第１方向に延び、順に電圧が供給される２以上の共通ラインと、
前記第１方向に直交する第２方向に延び、シンクドライバに電流が引き込まれる選択状態と、前記シンクドライバに電流が引き込まれない非選択状態とに切り替え可能な１以上の駆動ラインと、
前記共通ラインに接続されたアノードと、前記駆動ラインに接続されたカソードとをそれぞれ有する複数の発光素子と、
を備え、
前記共通ラインは、第１共通ラインと、前記第１共通ラインよりも後に前記電圧が供給される第２共通ラインとを有し、
同一の前記駆動ラインに接続された複数の前記発光素子は、前記第１共通ラインに接続された第１発光素子と、前記第２共通ラインに接続された第２発光素子とを有し、
前記第１共通ラインに前記電圧が供給され、前記第１発光素子および前記第２発光素子が接続された前記駆動ラインが前記非選択状態において前記第１発光素子に電流が流れる時の第１順方向電圧と、前記第２共通ラインに前記電圧が供給され、前記第１発光素子および前記第２発光素子が接続された駆動ラインが前記非選択状態において前記第２発光素子に電流が流れる時の第２順方向電圧とは略同じである表示装置。
【請求項２】
前記第１順方向電圧と前記第２順方向電圧との差は、１００ｍＶ以下である請求項１記載の表示装置。
【請求項３】
前記駆動ラインは、前記第１方向において隣り合う第１駆動ラインと第２駆動ラインとを有し、
前記第１駆動ラインに接続された前記発光素子の発光ピーク波長と、前記第２駆動ラインに接続された前記発光素子の発光ピーク波長とは異なる請求項１または２に記載の表示装置。
【請求項４】
第１方向に延びる２以上の共通ラインと、前記第１方向に直交する第２方向に延びる１以上の駆動ラインとを備えた基板を準備する工程と、
複数の発光素子を準備する工程と、
前記複数の発光素子に定格電流よりも小さな微小電流を流したときの順方向電圧を測定する工程と、
前記複数の発光素子を前記順方向電圧の測定値により複数のグループに分類する工程であって、同じグループに含まれる複数の発光素子の前記順方向電圧の測定値は略同じである、工程と、
前記同じグループに含まれる複数の発光素子を、前記第２方向に沿って前記基板上に配列し、同じ前記駆動ラインに接続するとともに、別々の前記共通ラインに接続する工程と、
を備えた表示装置の製造方法。
【請求項５】
前記同じグループに含まれる複数の発光素子の間の前記順方向電圧の測定値の差は、１００ｍＶ以下である請求項４記載の表示装置の製造方法。
【発明の詳細な説明】
【技術分野】
【０００１】
本開示は、表示装置及びその製造方法に関する。
【背景技術】
【０００２】
近年、ＬＥＤ（Light Emitting Diode）パッケージの微細化に伴い、狭ピッチのドットマトリクスユニットが開発されている。このようなユニットが屋内で間近に見ることのできる場所に設置されると、従来よりも疑似点灯（点灯対象ではないＬＥＤの意図しない微小点灯）が分かりやすくなるため、自然と要求されるレベルが高くなっている。また、ＬＥＤパッケージの微細化、ドットの狭ピッチ化（基板配線の密集化）により、配線に寄生する容量が大きくなり、さらにＬＥＤの高輝度化により、微小電流でも目視確認できる明るさで点灯するなど、疑似点灯が起こりやすい状況にある。
【先行技術文献】
【特許文献】
【０００３】
【特許文献１】特許第６１７１５８５号公報
【特許文献２】特許第５７９３９２３号公報
【特許文献３】特許第６４１３５５９号公報
【発明の概要】
【発明が解決しようとする課題】
【０００４】
本開示は、駆動ラインに寄生する容量による疑似点灯を抑制可能な表示装置及びその製造方法を提供することを目的とする。
【課題を解決するための手段】
【０００５】
本開示の一態様によれば、表示装置は、第１方向に延び、順に電圧が供給される２以上の共通ラインと、前記第１方向に直交する第２方向に延び、シンクドライバに電流が引き込まれる選択状態と、前記シンクドライバに電流が引き込まれない非選択状態とに切り替え可能な１以上の駆動ラインと、前記共通ラインに接続されたアノードと、前記駆動ラインに接続されたカソードとをそれぞれ有する複数の発光素子と、を備えている。前記共通ラインは、第１共通ラインと、前記第１共通ラインよりも後に前記電圧が供給される第２共通ラインとを有する。同一の前記駆動ラインに接続された複数の前記発光素子は、前記第１共通ラインに接続された第１発光素子と、前記第２共通ラインに接続された第２発光素子とを有する。前記第１共通ラインに前記電圧が供給され、前記第１発光素子および前記第２発光素子が接続された前記駆動ラインが前記非選択状態において前記第１発光素子に電流が流れる時の第１順方向電圧と、前記第２共通ラインに前記電圧が供給され、前記第１発光素子および前記第２発光素子が接続された駆動ラインが前記非選択状態において前記第２発光素子に電流が流れる時の第２順方向電圧とは略同じである。
本開示の他の一態様によれば、表示装置の製造方法は、第１方向に延びる２以上の共通ラインと、前記第１方向に直交する第２方向に延びる１以上の駆動ラインとを備えた基板を準備する工程と、複数の発光素子を準備する工程と、前記複数の発光素子に定格電流よりも小さな微小電流を流したときの順方向電圧を測定する工程と、前記複数の発光素子を前記順方向電圧の測定値により複数のグループに分類する工程であって、同じグループに含まれる複数の発光素子の前記順方向電圧の測定値は略同じである、工程と、前記同じグループに含まれる複数の発光素子を、前記第２方向に沿って前記基板上に配列し、同じ前記駆動ラインに接続するとともに、別々の前記共通ラインに接続する工程と、を備えている。
【発明の効果】
【０００６】
本開示の表示装置及びその製造方法によれば、駆動ラインに寄生する容量による疑似点灯を抑制できる。
【図面の簡単な説明】
【０００７】
【図１】本発明の一実施形態の表示装置の概略回路図である。
【図２】本発明の一実施形態の表示装置の駆動方法を示すタイミングチャートである。
【図３】図２における区間１の状態を示す概略回路図である。
【図４】図２における区間２の状態を示す概略回路図である。
【図５】図２における区間３の状態を示す概略回路図である。
【図６】図２における区間４の状態を示す概略回路図である。
【図７】比較例の表示装置の駆動方法を示すタイミングチャートである。
【図８】図７における区間４の状態を示す概略回路図である。
【図９】本発明の一実施形態の表示装置の駆動方法の他の例を示すタイミングチャートである。
【図１０】本発明の一実施形態の表示装置の製造方法を示すフローチャートである。
【発明を実施するための形態】
【０００８】
以下、図面を参照し、本発明の一実施形態について説明する。なお、各図面中、同じ要素には同じ符号を付している。
【０００９】
図１は、本発明の一実施形態の表示装置の概略回路図である。
【００１０】
実施形態の表示装置は、ｍ（ｍは２以上の自然数）本の共通ラインと、ｎ（ｎは１以上の自然数）本の駆動ラインと、ｍ×ｎ個の発光素子とを有する。図１には、例えば、３本の共通ラインＣＯＭ１、ＣＯＭ２、ＣＯＭ３と、２本の駆動ラインＳＥＧ１、ＳＥＧ２と、６個の発光素子１１、１２、２１、２２、３１、３２を示す。発光素子１１、１２、２１、２２、３１、３２は、例えばＬＥＤである。
【００１１】
共通ラインＣＯＭ１、ＣＯＭ２、ＣＯＭ３は、電圧源５０に接続され、第１方向（図１では横方向）に延びている。共通ラインＣＯＭ１と電圧源５０との間にはスイッチＳ１が接続され、共通ラインＣＯＭ２と電圧源５０との間にはスイッチＳ２が接続され、共通ラインＣＯＭ３と電圧源５０との間にはスイッチＳ３が接続されている。
【００１２】
駆動ラインＳＥＧ１、ＳＥＧ２は、第１方向に直交する第２方向（図１では縦方向）に延びている。駆動ラインＳＥＧ１、ＳＥＧ２は、シンクドライバ（または電流源）６０に接続されている。
【００１３】
共通ラインＣＯＭ１と駆動ラインＳＥＧ１に、発光素子１１が接続されている。発光素子１１のアノードは共通ラインＣＯＭ１に接続され、発光素子１１のカソードは駆動ラインＳＥＧ１に接続されている。
【００１４】
共通ラインＣＯＭ２と駆動ラインＳＥＧ１に、発光素子２１が接続されている。発光素子２１のアノードは共通ラインＣＯＭ２に接続され、発光素子２１のカソードは駆動ラインＳＥＧ１に接続されている。
【００１５】
共通ラインＣＯＭ３と駆動ラインＳＥＧ１に、発光素子３１が接続されている。発光素子３１のアノードは共通ラインＣＯＭ３に接続され、発光素子３１のカソードは駆動ラインＳＥＧ１に接続されている。
【００１６】
共通ラインＣＯＭ１と駆動ラインＳＥＧ２に、発光素子１２が接続されている。発光素子１２のアノードは共通ラインＣＯＭ１に接続され、発光素子１２のカソードは駆動ラインＳＥＧ２に接続されている。
【００１７】
共通ラインＣＯＭ２と駆動ラインＳＥＧ２に、発光素子２２が接続されている。発光素子２２のアノードは共通ラインＣＯＭ２に接続され、発光素子２２のカソードは駆動ラインＳＥＧ２に接続されている。
【００１８】
共通ラインＣＯＭ３と駆動ラインＳＥＧ２に、発光素子３２が接続されている。発光素子３２のアノードは共通ラインＣＯＭ３に接続され、発光素子３２のカソードは駆動ラインＳＥＧ２に接続されている。
【００１９】
マトリクス配置された複数の発光素子は、例えば、赤色光を発光する発光素子と、緑色光を発光する発光素子と、青色光を発光する発光素子とを含む。例えば、同一の駆動ラインＳＥＧ１に接続された複数の発光素子１１、２１、３１の発光ピーク波長は略同じであり、発光素子１１、２１、３１は同じ色の光を発光する。同様に、同一の駆動ラインＳＥＧ２に接続された複数の発光素子１２、２２、３２の発光ピーク波長は略同じであり、発光素子１２、２２、３２は同じ色の光を発光する。
【００２０】
駆動ラインＳＥＧ１に接続された発光素子１１、２１、３１の発光ピーク波長は、第１方向において駆動ラインＳＥＧ１に隣り合う駆動ラインＳＥＧ２に接続された発光素子１２、２２、３２の発光ピーク波長と異なる。すなわち、駆動ラインＳＥＧ１に接続された発光素子１１、２１、３１の発光色は、駆動ラインＳＥＧ２に接続された発光素子１２、２２、３２の発光色と異なる。例えば、それぞれの共通ラインＣＯＭ１、ＣＯＭ２、ＣＯＭ３に沿って、赤色光を発光する発光素子と、緑色光を発光する発光素子と、青色光を発光する発光素子とが繰り返されて配列されている。
【００２１】
実施形態の表示装置は、ダイナミック点灯制御方式で駆動される。スイッチＳ１、Ｓ２、Ｓ３が逐次的にオンされ、共通ラインＣＯＭ１、ＣＯＭ２、ＣＯＭ３に逐次的に電圧源５０から電圧Ｖｃｏｍが与えられる。例えば、スイッチＳ１がオンされ、スイッチＳ１以外のスイッチＳ２、Ｓ３がオフされ、共通ラインＣＯＭ１に電圧Ｖｃｏｍが与えられ、次に、スイッチＳ２がオンされ、スイッチＳ２以外のスイッチＳ１、Ｓ３がオフされ、共通ラインＣＯＭ２に電圧Ｖｃｏｍが与えられ、次に、スイッチＳ３がオンされ、スイッチＳ３以外のスイッチＳ１、Ｓ２がオフされ、共通ラインＣＯＭ３に電圧Ｖｃｏｍが与えられる。共通ラインＣＯＭ１、ＣＯＭ２、ＣＯＭ３に順に電圧Ｖｃｏｍが与えられる制御が繰り返される。
【００２２】
点灯対象の発光素子が接続された共通ラインに電圧Ｖｃｏｍが与えられたときに、その点灯対象の発光素子が接続された駆動ライン（選択駆動ライン）に接続されたシンクドライバ６０を駆動させることで、電圧源５０からの電流が、共通ライン、発光素子、および選択駆動ラインを流れてシンクドライバ６０に引き込まれる。これにより、点灯対象の発光素子が発光する。シンクドライバ６０に引き込まれる電流の大きさや、引き込む時間で発光素子の点灯の明るさが調整される。
【００２３】
例えば、共通ラインＣＯＭ１に電圧Ｖｃｏｍが与えられている時に、シンクドライバ６０により駆動ラインＳＥＧ１が選択されると、発光素子１１が点灯する。共通ラインＣＯＭ２に電圧Ｖｃｏｍが与えられている時に駆動ラインＳＥＧ１が非選択状態（シンクドライバ６０が駆動されずシンクドライバ６０に電流が引き込まれない状態）であれば発光素子２１は点灯せず、共通ラインＣＯＭ３に電圧Ｖｃｏｍが与えられている時に駆動ラインＳＥＧ１が非選択状態であれば発光素子３１は点灯しない。
【００２４】
図２は、同一駆動ラインＳＥＧ１に接続された発光素子１１、２１のうち、１スキャンで発光素子１１を点灯させ、発光素子２１は点灯させない動作のタイミングチャートである。１スキャンは、共通ラインＣＯＭ１がオンになり、次にオンになるまでの期間を表す。
【００２５】
図２において、共通ラインＣＯＭ１、ＣＯＭ２のオンは、それぞれ、スイッチＳ１、Ｓ２がオンになり、共通ラインＣＯＭ１、ＣＯＭ２に電圧源５０から電圧Ｖｃｏｍが与えられている状態を表す。共通ラインＣＯＭ１、ＣＯＭ２のオフは、それぞれ、スイッチＳ１、Ｓ２がオフになり、共通ラインＣＯＭ１、ＣＯＭ２に電圧源５０から電圧Ｖｃｏｍが与えられていない状態を表す。
【００２６】
駆動ラインＳＥＧ１のオンは、シンクドライバ６０が駆動され、駆動ラインＳＥＧ１からシンクドライバ６０に電流が引き込まれている状態（駆動ラインＳＥＧ１の選択状態）を表す。駆動ラインＳＥＧ１のオフは、シンクドライバ６０が駆動されず、駆動ラインＳＥＧ１からシンクドライバ６０に電流が引き込まれない状態（駆動ラインＳＥＧ１の非選択状態）を表す。
【００２７】
図２に示す例では、１スキャンの間に、区間１、区間２、区間３、区間４、および区間３が順に続く。
【００２８】
図３は、図２における区間１の状態を示す概略回路図である。図３において、駆動ラインＳＥＧ１に寄生する容量をＣで表す。後述する図４〜６、８においても駆動ラインＳＥＧ１に寄生する容量をＣで表す。また、図３、図４、および図８において、電流の流れを矢印で表す。
【００２９】
まず、区間１においては、共通ライン（第１共通ライン）ＣＯＭ１がオン、共通ライン（第２共通ライン）ＣＯＭ２がオフ、駆動ラインＳＥＧ１がオンとなる。この区間１において、図３に示すように、電圧源５０から、共通ラインＣＯＭ１、発光素子（第１発光素子）１１、および駆動ラインＳＥＧ１を電流が流れてシンクドライバ６０に引き込まれ、発光素子１１が点灯する。共通ラインＣＯＭ２がオフのため、発光素子（第２発光素子）２１は点灯しない。
【００３０】
このとき、寄生容量Ｃに蓄えられていた電荷Ｑはシンクドライバ６０を通じて放電され、寄生容量Ｃに蓄えられた電荷Ｑは０となる。
【００３１】
図４は、図２における区間２の状態を示す概略回路図である。区間１の後、区間２において、共通ラインＣＯＭ１がオン、共通ラインＣＯＭ２がオフ、駆動ラインＳＥＧ１がオフとなる。駆動ラインＳＥＧ１がオフになることで、電流がシンクドライバ６０に引き込まれずに、発光素子１１には定格電流が流れない。すなわち、発光素子１１は定格電流に応じた明るさでは点灯しない。
【００３２】
ただし、定格電流よりも小さな微小電流（非駆動状態のシンクドライバ６０へ流れるリーク電流）が、共通ラインＣＯＭ１から発光素子１１を経由して寄生容量Ｃに充電される。このとき、寄生容量Ｃに充電される電荷Ｑは、電圧源５０の電圧をＶｃｏｍ、発光素子１１に上記微小電流が流れる時の順方向電圧をＶｆ１とすると、Ｑ＝Ｃ（Ｖｃｏｍ−Ｖｆ１）となる。
【００３３】
このとき、発光素子１１は、微小電流に応じた微小の明るさで点灯するが、前の区間１において定格電流で明るく点灯していたため、人は区間２における発光素子１１の微小点灯を感じない。
【００３４】
図５は、図２における区間３の状態を示す概略回路図である。区間２の後、区間３において、共通ラインＣＯＭ１がオフ、共通ラインＣＯＭ２がオフ、駆動ラインＳＥＧ１がオフとなる。前の区間２において寄生容量Ｃに充電された電荷（Ｑ＝Ｃ（Ｖｃｏｍ−Ｖｆ１））は保持される。発光素子１１および発光素子２１は点灯しない。
【００３５】
ここで、図７は、比較例の表示装置の駆動方法を示すタイミングチャートである。比較例においても、区間１から区間３までは、前述した図２に示す実施形態の区間１から区間３までと同じ動作をする。
【００３６】
図８は、図７における区間３に続く区間４の状態を示す概略回路図である。
【００３７】
この比較例では、上記微小電流（例えば、１０μＡ程度）が流れる時の発光素子１１の順方向電圧Ｖｆ１が、上記微小電流が流れる時の発光素子２１の順方向電圧Ｖｆ２よりも大きい。
【００３８】
比較例の区間４において、共通ラインＣＯＭ１がオフ、共通ラインＣＯＭ２がオン、駆動ラインＳＥＧ１がオフとなる。共通ラインＣＯＭ２がオンになることで、微小電流が共通ラインＣＯＭ２から発光素子２１を経由して寄生容量Ｃに充電される。
【００３９】
このとき、Ｖｆ１＞Ｖｆ２より、Ｃ（Ｖｃｏｍ−Ｖｆ１）＜Ｃ（Ｖｃｏｍ−Ｖｆ２）となる。すなわち、区間４において、寄生容量Ｃに電荷が溜まる余地があるため、発光素子２１経由で寄生容量Ｃに電荷が充電される。区間３において寄生容量Ｃに蓄えられる電荷（Ｃ（Ｖｃｏｍ−Ｖｆ１））と、区間４において寄生容量Ｃに蓄えられる電荷（Ｃ（Ｖｃｏｍ−Ｖｆ２））との差分の電荷ΔＱ（＝Ｃ（Ｖｆ１−Ｖｆ２））が、区間４において発光素子２１経由で寄生容量Ｃに移動する。
【００４０】
したがって、区間４において、駆動ラインＳＥＧ１が非選択であり発光素子２１は点灯対象でないのに、微小電流により微小の明るさで点灯、すなわち疑似点灯してしまう。
【００４１】
これに対して、本実施形態では、区間４において点灯対象でない発光素子２１の疑似点灯を抑制することができる。
【００４２】
図２に示すように、本実施形態においても、区間４において、共通ラインＣＯＭ１がオフ、共通ラインＣＯＭ２がオン、駆動ラインＳＥＧ１がオフとなる。図６は、図２における区間４の状態を示す概略回路図である。
【００４３】
ここで、本実施形態においては、微小電流が流れる時の発光素子１１の順方向電圧Ｖｆ１と、微小電流が流れる時の発光素子２１の順方向電圧Ｖｆ２とを略同じにしている。
【００４４】
すなわち、共通ラインＣＯＭ１に電圧Ｖｃｏｍが供給され、駆動ラインＳＥＧ１が非選択状態において発光素子１１に微小電流が流れる時の順方向電圧Ｖｆ１と、共通ラインＣＯＭ１の次にオンにされる共通ラインＣＯＭ２に電圧Ｖｃｏｍが供給され、駆動ラインＳＥＧ１が非選択状態において発光素子２１に微小電流が流れる時の順方向電圧Ｖｆ２とは略同じである。
【００４５】
Ｖｆ１とＶｆ２とが略同じであるため、区間３において寄生容量Ｃに蓄えられる電荷（Ｃ（Ｖｃｏｍ−Ｖｆ１））と、区間４において寄生容量Ｃに蓄えられる電荷（Ｃ（Ｖｃｏｍ−Ｖｆ２））との差分ΔＱが０であり、区間４において寄生容量Ｃに電荷が充電されない。すなわち、共通ラインＣＯＭ２から発光素子２１経由で寄生容量Ｃに電荷が移動せず、発光素子２１の疑似点灯を抑制できる。または、上記差分ΔＱがわずかであり、人が疑似点灯を感じにくい程度の電荷移動量に抑制することができる。
【００４６】
すなわち、Ｖｆ１とＶｆ２とが略同じとは、区間３において寄生容量Ｃに蓄えられる電荷と、区間４において寄生容量Ｃに蓄えられる電荷との差分ΔＱ＝Ｃ（Ｖｆ１−Ｖｆ２）による発光素子２１の微小点灯の明るさが実使用上認識されないように、ΔＶｆ（Ｖｆ１−Ｖｆ２）が所定値以内に収まっていることを表す。
【００４７】
本発明者は、発光素子に流れる微小電流が１０μＡのときに、ΔＶｆの数値を変えて疑似点灯の目立ち具合を調べた。ΔＶｆ＝４８ｍＶ、６４ｍＶ、１００ｍＶ、１５２ｍＶ、２８０ｍＶ、２８８ｍＶの場合について疑似点灯の明るさを目視で確認したところ、ΔＶｆが１００ｍＶ以下であれば実使用上問題がないとの知見を得ることができた。なお、ΔＶｆ（＝Ｖｆ１−Ｖｆ２）がマイナス、すなわちＶｆ１＜Ｖｆ２の場合、前述した疑似点灯は生じない。
【００４８】
以上説明した実施形態では、発光素子１１のＶｆ１と発光素子２１のＶｆ２との関係について説明したが、同一の駆動ラインに接続された任意の２つの発光素子について上記微小電流時の順方向電圧を略同じにすることで、疑似点灯を抑制することができる。
【００４９】
例えば、図１に示す発光素子２１の微小電流時の順方向電圧と、発光素子３１の微小電流時の順方向電圧とを略同じにする。これにより、共通ラインＣＯＭ２をオンにし、駆動ラインＳＥＧ１をオンにして発光素子２１を点灯させる１スキャンにおいて、共通ラインＣＯＭ３が共通ラインＣＯＭ２の次にオンになり、駆動ラインＳＥＧ１がオフのときに、共通ラインＣＯＭ３から点灯対象でない発光素子３１を経由して寄生容量Ｃに移動する電荷を０または抑制することができ、発光素子３１の疑似点灯を抑制できる。
【００５０】
また、駆動ラインＳＥＧ２に接続された任意の２つの発光素子についても同じことが言える。例えば、発光素子１２の微小電流時の順方向電圧と、発光素子２２の微小電流時の順方向電圧とを略同じにする。これにより、共通ラインＣＯＭ１をオンにし、駆動ラインＳＥＧ２をオンにして発光素子１２を点灯させる１スキャンにおいて、共通ラインＣＯＭ２が共通ラインＣＯＭ１の次にオンになり、駆動ラインＳＥＧ２がオフのときに、共通ラインＣＯＭ２から点灯対象でない発光素子２２を経由して寄生容量Ｃに移動する電荷を０または抑制することができ、発光素子２２の疑似点灯を抑制できる。
【００５１】
図２に示すタイミングチャートにおいて、区間３はなくてもよい。すなわち、図９に示すように、区間２の後に、共通ラインＣＯＭ１がオフ、共通ラインＣＯＭ２がオン、駆動ラインＳＥＧ１がオフとなる区間３（図２における区間４に対応）が続く。
【００５２】
１つの駆動ラインに接続された発光素子の数は３つに限らず、４つ以上の発光素子が１つの駆動ラインに接続された場合にも、それら４つ以上の発光素子の上記微小電流時の順方向電圧を略同じにすることで、疑似点灯を抑制することができる。
【００５３】
共通ラインおよび駆動ラインは基板上に形成され、その基板上に発光素子が実装される。実施形態によれば、微小電流時の順方向電圧が略同じである複数の発光素子を意図的に１つの駆動ラインに沿って基板上に配列し、その１つの駆動ラインに接続する。
【００５４】
また、実施形態によれば、複数の発光素子を基板上に実装する前に、複数の発光素子の微小電流時の順方向電圧を測定し、複数の発光素子を順方向電圧の測定値により複数のグループに分類する。
【００５５】
図１０は、本発明の一実施形態の表示装置の製造方法を示すフローチャートである。
【００５６】
基板上に、第１方向に延びる２以上の共通ラインと、第１方向に直交する第２方向に延びる１以上の駆動ラインとを備えた基板を準備する（ステップＳ１）。共通ラインおよび駆動ラインは、基板上に例えば金属パターンとして形成される。
【００５７】
一方で、複数の発光素子を準備する（ステップＳ２）。そして、複数の発光素子に定格電流よりも小さな微小電流を流したときの順方向電圧Ｖｆを測定する（ステップＳ３）。
【００５８】
そして、複数の発光素子を順方向電圧Ｖｆの測定値により複数のグループに分類する（ステップＳ４）。同じグループに含まれる複数の発光素子の順方向電圧Ｖｆの測定値は略同じである。ここで、順方向電圧Ｖｆの測定値が略同じとは、前述したように、同じグループに含まれる複数の発光素子の間の順方向電圧Ｖｆの測定値の差が１００ｍＶ以下であることを表す。
【００５９】
例えば、定格電流よりも小さい微小電流として１０μＡを流したときの順方向電圧Ｖｆを測定する。例えば、ある１つのグループに含まれる複数の発光素子のＶｆは３．０Ｖ以上３．１Ｖ以下であり、別のグループに含まれる複数の発光素子のＶｆは３．１Ｖ以上３．２Ｖ以下であり、さらに別のグループに含まれる複数の発光素子のＶｆは３．２Ｖ以上３．３Ｖ以下である。
【００６０】
そして、同じグループに含まれる複数の発光素子を、駆動ラインが延びる方向である第２方向に沿って基板上に配列し、同じ駆動ラインに接続するとともに、別々の共通ラインに接続する（ステップＳ５）。
【００６１】
以上、具体例を参照しつつ、本開示の実施形態について説明した。しかし、本開示は、これらの具体例に限定されるものではない。本開示の上述した実施形態を基にして、当業者が適宜設計変更して実施し得る全ての形態も、本開示の要旨を包含する限り、本開示の範囲に属する。その他、本開示の思想の範疇において、当業者であれば、各種の変更例及び修正例に想到し得るものであり、それら変更例及び修正例についても本開示の範囲に属するものと了解される。
【符号の説明】
【００６２】
１１,１２,２１,２２,３１,３２…発光素子、５０…電圧源、６０…シンクドライバ、ＣＯＭ１〜ＣＯＭ３…共通ライン、ＳＥＧ１〜ＳＥＧ２…駆動ライン
【図１】
2020177121.tif 000003
【図２】
2020177121.tif 000004
【図３】
2020177121.tif 000005
【図４】
2020177121.tif 000006
【図５】
2020177121.tif 000007
【図６】
2020177121.tif 000008
【図７】
2020177121.tif 000009
【図８】
2020177121.tif 000010
【図９】
2020177121.tif 000011
【図１０】
2020177121.tif 000012